(57)【要約】【課題】優れた周波数ダイバーシチ効果を得ることができること【解決手段】仮想リソース割当単位を分割して、周波数方向に分散した複数の物理リソース割当単位に割り当てて送信する分散送信を行う無線通信装置において、仮想リソース割当単位を割り当てる物理リソース割当単位の組み合わせおよび順番の規則の中から一つの規則を選択し、該規則を用いて、仮想リソース割当単位を割り当てる物理リソース割当単位を決定するリソース対応付部と、リソース対応付部が選択した規則を表す情報と、仮想リソース割当単位を割り当てる物理リソース割当単位を、仮想リソース割当単位の開始位置と数とにより表す情報とを少なくとも含む無線リソース割当て情報を生成する割当情報生成部と、無線リソース割当て情報を、送信する信号に多重する多重部とを具備することを特徴とする無線通信装置。【選択図】図２
2009164816.tif 000002
【特許請求の範囲】
【請求項１】
複数の第１の無線通信装置と、無線リソースを周波数方向および時間方向に予め決められた幅で区切った領域であって、前記第１の無線通信装置へ送信するデータの割り当て単位となる領域である物理リソース割当単位にて送信可能なデータ量の前記第１の無線通信装置宛てのデータの信号からなる仮想リソース割当単位を分割して、周波数方向に分散した複数の前記物理リソース割当単位に割り当てて送信する分散送信を行う第２の無線通信装置とを具備する無線通信システムにおいて、
前記第２の無線通信装置は、
前記仮想リソース割当単位を割り当てる前記物理リソース割当単位の組み合わせおよび順番の規則であって、予め設定された複数の規則の中から、一つの規則を選択し、選択した該規則を用いて、前記第１の無線通信装置宛ての仮想リソース割当単位を割り当てる前記物理リソース割当単位を決定するリソース対応付部と、
前記対応付け部が選択した規則を表す情報と、前記対応付け部が決定した前記第１の無線通信装置宛ての仮想リソース割当単位を割り当てる前記物理リソース割当単位を、仮想リソース割当単位の開始位置と数とにより表す情報とを少なくとも含む無線リソース割当て情報を生成する割当情報生成部と、
前記無線リソース割当て情報を、前記第１の無線通信装置に送信する信号に多重する多重部と
を具備し、
前記第１の無線通信装置は、受信した信号から前記無線リソース割当て情報を抽出し、該無線リソース割当て情報に基づき、前記受信した信号中の前記物理リソース割当単位であって、当該第１の無線通信装置宛ての仮想リソース割当単位が割り当てられた前記物理リソース割当単位から、前記仮想リソース割当単位の信号を抽出する多重分離を具備することを特徴とする無線通信システム。
【請求項２】
前記リソース対応付部は、前記予め設定された複数の規則の中から選択した前記規則を用いて、１つの前記仮想リソース割当単位を、２つの前記物理リソース割当単位に割り当て、
前記予め設定された複数の規則は、１つの前記仮想リソース割当単位を割り当てる前記２つの物理リソース割当単位が前記第２の無線通信装置の送信帯域幅の中心を軸として線対称の位置関係にある第１の規則と、前記２つの物理リソース割当単位の周波数間隔が前記第２の無線通信装置の送信帯域幅の半分である第２の規則とを含むことを特徴とする請求項１に記載の無線通信システム。
【請求項３】
前記リソース対応付部は、前記予め設定された複数の規則の中から選択した前記規則を用いて、１つの前記仮想リソース割当単位を、２つの前記物理リソース割当単位に割り当て、
前記多重部は、前記１つの仮想リソース割当単位の信号を、前記２つの物理リソース割当単位各々を時間方向に２つに分けた領域のうち、異なる時間領域の２つの領域に割り当てることを特徴とする請求項１記載の無線通信システム。
【請求項４】
前記第１の規則は、前記第２の無線通信装置の送信帯域幅の両端に近い物理リソース割当単位を優先して割当てることを特徴とする請求項２記載の無線通信システム。
【請求項５】
前記リソース対応付部は、前記一つの規則を選択する際に、分散送信を行なう前記仮想リソース割当単位の数に基づき選択することを特徴とする請求項２記載の無線通信システム。
【請求項６】
前記リソース対応付部は、分散送信を行なう前記仮想リソース割当単位の数の多寡を判定し、少ないと判定したときは前記第１の規則を選択し、多いと判定したときは前記第２の規則を選択することを特徴とする請求項５記載の無線通信システム。
【請求項７】
前記第１の規則を用いると、１つの前記仮想リソース割当単位を割り当てる前記２つの物理リソース割当単位の周波数間隔が前記第２の無線通信装置の送信帯域幅の半分よりも小さいときに、分散送信を行なう前記仮想リソース割当単位の数が多いと判定し、それ以外のときに、少ないと判定することを特徴とする請求項６記載の無線通信システム。
【請求項８】
無線リソースを周波数方向および時間方向に予め決められた幅で区切った領域であって、無線リソースにおける送信されるデータの割り当て単位となる領域である物理リソース割当単位にて送信可能なデータ量のデータの信号からなる仮想リソース割当単位を分割し、周波数方向に分散した複数の前記物理リソース割当単位に割り当てて送信された信号を受信する第１の無線通信装置において、
前記仮想リソース割当単位を割り当てる前記物理リソース割当単位の組み合わせおよび順番の規則を表す情報と、前記仮想リソース割当単位を割り当てる前記物理リソース割当単位を、仮想リソース割当単位の開始位置と数とにより表す情報とを少なくとも含む無線リソース割当て情報を、受信した信号から抽出し、該無線リソース割当て情報に基づき、前記受信した信号中の前記物理リソース割当単位であって、当該装置宛ての仮想リソース割当単位が割り当てられた前記物理リソース割当単位から、前記仮想リソース割当単位の信号を抽出する多重分離部
を具備することを特徴とする第１の無線通信装置。
【請求項９】
無線リソースを周波数方向および時間方向に予め決められた幅で区切った領域であって、無線リソースにおけるデータの割り当て単位となる領域である物理リソース割当単位にて送信可能なデータ量のデータの信号からなる仮想リソース割当単位を分割して、周波数方向に分散した複数の前記物理リソース割当単位に割り当てて送信する分散送信を行う第２の無線通信装置において、
前記仮想リソース割当単位を割り当てる前記物理リソース割当単位の組み合わせおよび順番の規則であって、予め設定された複数の規則の中から、一つの規則を選択し、選択した該規則を用いて、前記仮想リソース割当単位を割り当てる前記物理リソース割当単位を決定するリソース対応付部と、
前記リソース対応付部が選択した規則を表す情報と、前記仮想リソース割当単位を割り当てる前記物理リソース割当単位を、仮想リソース割当単位の開始位置と数とにより表す情報とを少なくとも含む無線リソース割当て情報を生成する割当情報生成部と、
前記無線リソース割当て情報を、送信する信号に多重する多重部と
を具備することを特徴とする第２の無線通信装置。
【請求項１０】
無線リソースを周波数方向および時間方向に予め決められた幅で区切った領域であって、無線リソースにおける送信されるデータの割り当て単位となる領域である物理リソース割当単位にて送信可能なデータ量のデータの信号からなる仮想リソース割当単位を分割し、周波数方向に分散した複数の前記物理リソース割当単位に割り当てて送信された信号を受信する第１の無線通信装置における無線受信方法において、
前記第１の無線通信装置が、前記仮想リソース割当単位を割り当てる前記物理リソース割当単位の組み合わせおよび順番の規則を表す情報と、前記仮想リソース割当単位を割り当てる前記物理リソース割当単位を、仮想リソース割当単位の開始位置と数とにより表す情報とを少なくとも含む無線リソース割当て情報を、受信した信号から抽出する第１の過程と、
前記第１の無線通信装置が、前記無線リソース割当て情報に基づき、前記受信した信号中の前記物理リソース割当単位であって、当該装置宛ての仮想リソース割当単位が割り当てられた前記物理リソース割当単位から、前記仮想リソース割当単位の信号を抽出する第２の過程と
を備えることを特徴とする無線受信方法。
【請求項１１】
無線リソースを周波数方向および時間方向に予め決められた幅で区切った領域であって、無線リソースにおけるデータの割り当て単位となる領域である物理リソース割当単位にて送信可能なデータ量のデータの信号からなる仮想リソース割当単位を分割して、周波数方向に分散した複数の前記物理リソース割当単位に割り当てて送信する分散送信を行う第２の無線通信装置における無線送信方法において、
前記第２の無線通信装置が、前記仮想リソース割当単位を割り当てる前記物理リソース割当単位の組み合わせおよび順番の規則であって、予め設定された複数の規則の中から、一つの規則を選択し、選択した該規則を用いて、前記仮想リソース割当単位を割り当てる前記物理リソース割当単位を決定する第１の過程と、
前記第２の無線通信装置が、前記第１の過程にて選択された規則を表す情報と、前記仮想リソース割当単位を割り当てる前記物理リソース割当単位を、仮想リソース割当単位の開始位置と数とにより表す情報とを少なくとも含む無線リソース割当て情報を生成する第２の過程と、
前記第２の無線通信装置が、前記無線リソース割当て情報を、送信する信号に多重する第３の過程と
を備えることを特徴とする無線送信方法。
【発明の詳細な説明】
【技術分野】
【０００１】
本発明は、無線通信システム、第１の無線通信装置、第２の無線通信装置、無線受信方法および無線送信方法に関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ）において標準化され、同方式によるセルラー移動通信サービスが開始されている。また、３ＧＰＰにおいて、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡの下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ；直交周波数分割多重）方式が提案されている。また、ＥＵＴＲＡの上りリンクとして、シングルキャリア送信であるＤＦＴ（Ｄｉｓｃｒｅｔｅ  Ｆｏｕｒｉｅｒ  Ｔｒａｎｓｆｏｒｍ；離散フーリエ変換）−Ｓｐｒｅａｄ  ＯＦＤＭ方式のシングルキャリア通信方式が提案されている。
【０００４】
ここで、ＥＵＴＲＡにおけるチャネルの構造について、その概略を図１４に示す。基地局装置ＢＳ１は、移動局装置ＵＥ１、ＵＥ２、ＵＥ３と無線通信を行う。ＥＵＴＲＡの基地局装置ＢＳ１から移動局装置ＵＥ１、ＵＥ２、ＵＥ３への無線通信の下りリンクは、下りリンクパイロットチャネルと、下りリンク同期チャネルと、報知チャネル、下りリンク制御チャネルと、下りリンク共有データチャネル、制御フォーマットインディケータチャネル、下りリンクＨＡＲＱ（Hybrid Automatic Repeat reQuest）インディケータチャネルとにより構成されている。また、ＥＵＴＲＡの移動局装置ＵＥ１、ＵＥ２、ＵＥ３から基地局装置ＢＳ１への無線通信の上りリンクは、上りリンクパイロットチャネルと、ランダムアクセスチャネルと、上りリンク制御チャネルと、上りリンク共有データチャネルとにより構成されている。
【０００５】
図１５は、ＥＵＴＲＡにおける下りリンク無線フレームの概略構成を示す図である（非特許文献１）。横軸は周波数領域、縦軸は時間領域を表している。下りリンク無線フレームは、集中（Ｌｏｃａｌｉｚｅｄ）送信の無線リソース割り当てなどの単位であり、予め決められた幅の周波数帯および時間帯からなるＰＲＢ（Ｐｈｙｓｉｃａｌ  Ｒｅｓｏｕｒｃｅ  Ｂｌｏｃｋ：物理リソースブロック）ペアから構成されている。基本的に１物理リソースブロックＰＲＢペアは時間領域で連続する２個の物理リソースブロックＰＲＢから構成される。
【０００６】
１個の物理リソースブロックＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンク無線フレームではシステム帯域幅に応じて複数の物理リソースブロックＰＲＢが配置される。
【０００７】
各サブフレームには少なくとも、情報データの送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについては図１５においては図示せず、その配置の説明は後述する。図１５では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化する。
【０００８】
なお、図１５において図示は省略しているが、下りリンク制御チャネルを構成するＯＦＤＭシンボル数を示す制御フォーマットインディケータチャネルは１ＯＦＤＭシンボル目の予め決められた周波数位置に配置され、下りリンク制御チャネルは１番目のＯＦＤＭシンボルのみに配置されたり、１番目と２番目のＯＦＤＭシンボルに配置されたりする。また、同様に、図１５において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は報知チャネルによって示される。なお、同一のＯＦＤＭシンボルにおいて下りリンク制御チャネルと下りリンク共有データチャネルは一緒に配置されない。下りリンク制御チャネルは、移動局識別子または移動局群識別子、下りリンク共有データチャネルの無線リソース割り当て情報、マルチアンテナ関連情報、変調方式、符号化率、ペイロードサイズ、再送パラメータなどが配置される。
【０００９】
図１６は、ＥＵＴＲＡの下りリンクにおける１物理リソースブロックＰＲＢペア内の下りリンクパイロットチャネルの配置を説明する図である。図１６において、横軸は時間領域、縦軸は周波数領域を表している。ここでは、基地局装置が４本の送信アンテナ（送信アンテナ１、送信アンテナ２、送信アンテナ３、送信アンテナ４）を有する場合について説明する。図１６において、符号Ｒ１が付されたリソースエレメントは送信アンテナ１が送信する下りリンクパイロットチャネルのリソースエレメントを表し、符号Ｒ２が付されたリソースエレメントは送信アンテナ２が送信する下りリンクパイロットチャネルのリソースエレメントを表し、符号Ｒ３が付されたリソースエレメントは送信アンテナ３が送信する下りリンクパイロットチャネルのリソースエレメントを表し、符号Ｒ４が付されたリソースエレメントは送信アンテナ４が送信する下りリンクパイロットチャネルのリソースエレメントを表す。
【００１０】
なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。なお、４本の送信アンテナを有する基地局装置は、送信アンテナ３と送信アンテナ４の下りリンクパイロットチャネルのリソースエレメントＲ３とＲ４の送信を時間領域で適応的に制御することができる。すなわち、基地局装置は、あるサブフレームでは上述のように下りリンクパイロットチャネルであるリソースエレメントＲ３、Ｒ４を配置し、あるサブフレームではリソースエレメントＲ３、Ｒ４を配置せず、下りリンクパイロットチャネルとしてはリソースエレメントＲ１、Ｒ２のみを配置する。この下りリンクパイロットチャネルの配置情報は報知チャネルによって示される。なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。
【００１１】
ＥＵＴＲＡには、複数の送信方法がある。１つの送信方法は、移動局装置から基地局装置にフィードバックされるＣＱＩ（Channel Quality Indicator；チャネル品質指標）に基づいて基地局装置が無線伝播路品質の良い移動局装置に物理リソースブロックＰＲＢペア単位で無線リソース割り当てを行う周波数スケジューリングの適用を主に想定した集中送信（Localized送信）である。もう一つの送信方法は、高速移動中の移動局装置、ＶｏＩＰ（Voice over Internet Protocol）、ＴＣＰ  ＡＣＫ（Transmission Control Protocol ACKnowledgement）などの少量のデータ送受信を行う移動局装置など周波数スケジューリングを行わない移動局装置への適用を主に想定した分散送信（Ｄｉｓｔｒｉｂｕｔｅｄ送信）がある。集中送信は物理リソースブロックＰＲＢペア単位でまとまったサブキャリアを用いて送信を行う方法であり、分散送信は広帯域にわたって物理リソースブロックＰＲＢペア単位よりも更に細かい単位で物理リソースを時間領域及び周波数領域に分散して信号の送信を行う方法である。
【００１２】
移動局装置の送信データユニットをＶＲＢ（Ｖｉｒｔｕａｌ  Ｒｅｓｏｕｒｃｅ  Ｂｌｏｃｋ；仮想リソースブロック）と呼び、集中送信を行う移動局装置の送信データユニットをＬＶＲＢ（Ｌｏｃａｌｉｚｅｄ  Ｖｉｒｔｕａｌ  Ｒｅｓｏｕｒｃｅ  Ｂｌｏｃｋ；集中仮想リソースブロック）、分散送信を行う移動局装置の送信データユニットをＤＶＲＢ（Ｄｉｓｔｒｉｂｕｔｅｄ  Ｖｉｒｔｕａｌ  Ｒｅｓｏｕｒｃｅ  Ｂｌｏｃｋ；分散仮想リソースブロック）と呼ぶ。分散仮想リソースブロックＤＶＲＢの送信に用いる物理リソースブロックＰＲＢペアを分散物理リソースブロックＤＰＲＢ（Ｄｉｓｔｒｉｂｕｔｅｄ  Ｐｈｙｓｉｃａｌ  Ｒｅｓｏｕｒｃｅ  Ｂｌｏｃｋ）という。１個の分散物理リソースブロックＤＰＲＢに多重する分散仮想リソースブロックＤＶＲＢ数を多重数Ｎｄという。分散仮想リソースブロックＤＶＲＢは、物理リソースブロックＰＲＢペア単位よりも更に細かい単位の物理リソースであって、広帯域にわたって分散されている物理リソースからなる。また、ＥＵＴＲＡにおいては、１つの分散仮想リソースブロックＤＶＲＢが用いる物理リソース量を、１つの物理リソースブロックＰＲＢと等しい（非特許文献２）。
【００１３】
分散物理リソースブロックＤＰＲＢ内の分散仮想リソースブロックＤＶＲＢの多重方法（以下、「分散仮想リソースブロックＤＶＲＢマッピング」という）としては時間多重方法を用いる（非特許文献３、非特許文献４）。図１７は、多重数Ｎｄが２の場合の分散仮想リソースブロックＤＶＲＢマッピングを説明する図である。ここでは、下りリンク制御チャネルが、下りリンクパイロットチャネルが配置されたリソースエレメントを除いた、分散物理リソースブロックＤＰＲＢ中の１番目から３番目のＯＦＤＭシンボルに配置され、下りリンク共有データチャネルが４番目から１４番目のＯＦＤＭシンボルに配置され、４本の送信アンテナの下りリンクパイロットチャネルが配置された場合について説明する。
【００１４】
多重数Ｎｄが２の場合、分散仮想リソースブロックＤＶＲＢ１とＤＶＲＢ２を同じ分散物理リソースブロックＤＰＲＢ（ＤＰＲＢ１とＤＰＲＢ２）内に配置する。多重数Ｎｄが２の場合、分散仮想リソースブロックＤＶＲＢ１とＤＶＲＢ２の信号の時間多重には、スロットベースホッピング（Ｓｌｏｔ−ｂａｓｅｄ  ｈｏｐｐｉｎｇ）を用いる。分散仮想リソースブロックＤＶＲＢ１の信号は、分散物理リソースブロックＤＰＲＢ１の１番目のスロットの下りリンク共有データチャネル部分である４番目から７番目までのＯＦＤＭシンボルと、分散物理リソースブロックＤＰＲＢ２の２番目のスロットの下りリンク共有データチャネル部分である８番目から１４番目までのＯＦＤＭシンボルに配置される。
【００１５】
分散仮想リソースブロックＤＶＲＢ２の信号は、分散物理リソースブロックＤＰＲＢ２の１番目のスロットの下りリンク共有データチャネル部分である４番目から７番目までのＯＦＤＭシンボルと、分散物理リソースブロックＤＰＲＢ１の２番目のスロットの下りリンク共有データチャネル部分である８番目から１４番目までのＯＦＤＭシンボルに配置される。つまり、多重数Ｎｄが２の場合、分散仮想リソースブロックＤＶＲＢの信号は、一方の分散物理リソースブロックＤＰＲＢの１番目のスロットと、もう一方の分散物理リソースブロックＤＰＲＢにおける先と異なる２番目のスロットとに配置される。
【００１６】
図１８は、多重数Ｎｄが３の場合の分散仮想リソースブロックＤＶＲＢマッピングを説明する図である。ここでは、分散物理リソースブロックＤＰＲＢ１、ＤＰＲＢ２、ＤＰＲＢ３において、下りリンク制御チャネルが１番目から３番目のＯＦＤＭシンボルに配置され、下りリンク共有データチャネルが４番目から１４番目のＯＦＤＭシンボルに配置され、４本の送信アンテナの下りリンクパイロットチャネルが配置された場合について説明する。多重数Ｎｄが３の場合、分散仮想リソースブロックＤＶＲＢ１とＤＶＲＢ２とＤＶＲＢ３を同じ分散物理リソースブロックＤＰＲＢ（ＤＰＲＢ１とＤＰＲＢ２とＤＰＲＢ３）内に配置する。
【００１７】
多重数Ｎｄが３の場合、分散仮想リソースブロックＤＶＲＢ１とＤＶＲＢ２とＤＶＲＢ３の時間多重には、ＯＦＤＭシンボルベースホッピング（ＯＦＤＭ  ｓｙｍｂｏｌ−ｂａｓｅｄ  ｈｏｐｐｉｎｇ）を用いる。分散仮想リソースブロックＤＶＲＢ１の信号は、分散物理リソースブロックＤＰＲＢ１の４番目と７番目と１０番目と１３番目のＯＦＤＭシンボルと、分散物理リソースブロックＤＰＲＢ２の６番目と９番目と１２番目のＯＦＤＭシンボルと、分散物理リソースブロックＤＰＲＢ３の５番目と８番目と１１番目と１４番目のＯＦＤＭシンボルに配置される。
【００１８】
分散仮想リソースブロックＤＶＲＢ２の信号は、分散物理リソースブロックＤＰＲＢ２の４番目と７番目と１０番目と１３番目のＯＦＤＭシンボルと、分散物理リソースブロックＤＰＲＢ３の６番目と９番目と１２番目のＯＦＤＭシンボルと、分散物理リソースブロックＤＰＲＢ１の５番目と８番目と１１番目と１４番目のＯＦＤＭシンボルに配置される。
【００１９】
分散仮想リソースブロックＤＶＲＢ３の信号は、分散物理リソースブロックＤＰＲＢ３の４番目と７番目と１０番目と１３番目のＯＦＤＭシンボルと、分散物理リソースブロックＤＰＲＢ１の６番目と９番目と１２番目のＯＦＤＭシンボルと、分散物理リソースブロックＤＰＲＢ２の５番目と８番目と１１番目と１４番目のＯＦＤＭシンボルに配置される。つまり、多重数Ｎｄが３の場合、分散仮想リソースブロックＤＶＲＢは、分散物理リソースブロックＤＰＲＢ内において３ＯＦＤＭシンボル間隔で信号が配置され、異なる分散物理リソースブロックＤＰＲＢでは異なるＯＦＤＭシンボルから３ＯＦＤＭシンボル間隔で信号が配置される。
【００２０】
以上のような分散仮想リソースブロックＤＶＲＢマッピングにおいて、基地局装置が移動局装置に対して分散仮想リソースブロックＤＶＲＢを割り当てるために用いる無線リソース割り当て情報として、最初に割り当てるＤＶＲＢナンバー（Ｓｔａｒｔｉｎｇ  ＶＲＢ  ｎｕｍｂｅｒ）と連続して割り当てるＤＶＲＢ数（Ｎｕｍｂｅｒ  ｏｆ  ｃｏｎｓｅｃｕｔｉｖｅ  ＶＲＢｓ）が下りリンク制御チャネルに構成されて、基地局装置から移動局装置に通知される（非特許文献５）。
【００２１】
図１９は、基地局装置と移動局装置で使用される分散仮想リソースブロックＤＶＲＢの例を示す。ここでは、１５個の仮想リソースブロックＶＲＢが構成され、その全てが分散仮想リソースブロックＤＶＲＢとして用いられる場合について示す。例えば、基地局装置は、最初に割り当てるＤＶＲＢナンバー（Ｓｔａｒｔｉｎｇ  ＶＲＢ  ｎｕｍｂｅｒ）として分散仮想リソースブロックＤＶＲＢ５の番号を示し、連続して割り当てるＤＶＲＢ数（Ｎｕｍｂｅｒ  ｏｆ  ｃｏｎｓｅｃｕｔｉｖｅ  ＶＲＢｓ）として２を示す無線リソース割り当て情報を、ある移動局装置に通知する。この無線リソース割り当て情報を通知された移動局装置は、分散仮想リソースブロックＤＶＲＢ５とＤＶＲＢ６を割り当てられたことを認識する。
【００２２】
このような分散仮想リソースブロックＤＶＲＢマッピング、無線リソース割り当て情報において分散仮想リソースブロックＤＶＲＢと物理リソースブロックＰＲＢペアとの対応付けの方法が、非特許文献６、非特許文献７に記載されている。すなわち、分散仮想リソースブロックＤＶＲＢは、どの物理リソースブロックＰＲＢを分散物理リソースブロックＤＰＲＢとして対応付けるかということが、非特許文献６、非特許文献７には記載されている。多重数Ｎｄ＝２の場合、１つの分散仮想リソースブロックＤＶＲＢは２つの物理リソースブロックＰＲＢペアに配置される。
【００２３】
図２０は、非特許文献６に記載されている多重数Ｎｄ＝２の場合の分散仮想リソースブロックＤＶＲＢと物理リソースブロックＰＲＢペアとの対応付けを示す。ここでは、システム帯域幅に１５個の物理リソースブロックＰＲＢが構成された場合について示す。非特許文献６では、システム帯域幅の端の物理リソースブロックＰＲＢナンバーから順に分散仮想リソースブロックＤＶＲＢナンバーに対応付けを行う。先ず、ある物理リソースブロックＰＲＢペアにおいて１番目のスロットに分散仮想リソースブロックＤＶＲＢナンバーを対応付けし、その後２番目のスロットに対応付けを行う。この非特許文献６による対応付けの方法では、同じ分散仮想リソースブロックＤＶＲＢの信号が配置されるもう一方の物理リソースブロックＰＲＢペアは、システム帯域幅の中心を軸として線対称の位置にある物理リソースブロックＰＲＢペアである。（以下、この非特許文献６による対応付けの方法を、説明の簡略化のため、「ＤＶＲＢ−ｔｏ−ＰＲＢマッピングＡ」という）。
【００２４】
従って、図２０に示すように、非特許文献６に記載のＤＶＲＢ−ｔｏ−ＰＲＢマッピングＡでは、最も低い周波数の物理リソースブロックＰＲＢペアであるＰＲＢ１と、最も高い周波数の物理リソースブロックＰＲＢペアであるＰＲＢ１５とには、分散仮想ソースブロックＤＶＲＢ１、ＤＶＲＢ２が対応付けられている。さらに、ＰＲＢ１の高周波側に隣接する物理リソースブロックＰＲＢペアであるＰＲＢ２と、ＰＲＢ１５の低周波側に隣接する物理リソースブロックＰＲＢペアであるＰＲＢ１４とには、分散仮想ソースブロックＤＶＲＢ３、ＤＶＲＢ４が対応付けられている。以下、同様に、システム帯域幅の中心の物理リソースブロックＰＲＢペア（ＰＲＢ７）になるまで、物理リソースブロックＰＲＢペアと分散仮想ソースブロックＤＶＲＢとが対応付けされる。
【００２５】
図２１は、非特許文献７に記載されている多重数Ｎｄ＝２の場合の分散仮想リソースブロックＤＶＲＢと物理リソースブロックＰＲＢペアとの対応付けを示す。ここでは、システム帯域幅に１５個の物理リソースブロックＰＲＢが構成された場合について示す。非特許文献７では、１番目のスロットのシステム帯域幅の端の物理リソースブロックＰＲＢナンバーから順に分散仮想リソースブロックＤＶＲＢナンバーに対応付けを行い、その後２番目のスロットにおいて対応付けを行う。この非特許文献７による対応付けの方法では、同じ分散仮想リソースブロックＤＶＲＢの信号が配置されるもう一方の物理リソースブロックＰＲＢペアは、物理リソースブロックＰＲＢが周波数方向に固定数分離れた物理リソースブロックＰＲＢペアである。この固定数は、システム帯域幅に構成される物理リソースブロックＰＲＢ数を半分に割った値である。（以下、この非特許文献７による対応付けの方法を、説明の簡略化のため、「ＤＶＲＢ−ｔｏ−ＰＲＢマッピングＢ」という）。
【００２６】
従って、図２１に示すように、非特許文献７に記載のＤＶＲＢ−ｔｏ−ＰＲＢマッピングＢでは、最も低い周波数の物理リソースブロックＰＲＢペアであるＰＲＢ１と、このＰＲＢ１から固定数（１５／２≒８）離れた物理リソースブロックＰＲＢペアであるＰＲＢ９とには、分散仮想ソースブロックＤＶＲＢ１、ＤＶＲＢ８が対応付けられている。さらに、ＰＲＢ１の高周波側に隣接する物理リソースブロックＰＲＢペアであるＰＲＢ２と、ＰＲＢ２から固定数（８）離れた物理リソースブロックＰＲＢペアであるＰＲＢ１０とには、分散仮想ソースブロックＤＶＲＢ２、ＤＶＲＢ９が対応付けられている。以下、同様に、システム帯域幅の中心の物理リソースブロックＰＲＢペア（ＰＲＢ７）になるまで、物理リソースブロックＰＲＢペアと分散仮想ソースブロックとが対応付けされる。
【非特許文献１】３ＧＰＰ  ＴＳ３６．２１１‐ｖ２．０．０（２００７‐０９）、Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳＧ  ＲＡＮ１  ＃４９ｂ，Ｏｒｌａｎｄｏ，Ｆｌｏｒｉｄａ−ＵＳＡ，２５−２９  Ｊｕｎｅ，２００７  Ｒ１−０７２６４６“Ｄｒａｆｔ  Ｒｅｐｏｒｔ  ｏｆ  ３ＧＰＰ  ＴＳＧ  ＲＡＮ  ＷＧ１  ＃４９  ｖ０．４．０”
【非特許文献３】３ＧＰＰ  ＴＳＧ  ＲＡＮ１  ＃５０，Ａｔｈｅｎｓ，Ｇｒｅｅｃｅ，２０−２４  Ａｕｇｕｓｔ，２００７，Ｒ１−０７３８８７  “Ｐｒｏｐｏｓｅｄ  ｗａｙ  ｆｏｒｗａｒｄ  ｏｎ  ｄｉｓｔｒｉｂｕｔｅｄ  ＤＬ  ｔｒａｎｓｍｉｓｓｉｏｎ”
【非特許文献４】３ＧＰＰ  ＴＳＧ  ＲＡＮ１  ＃５０ｂｉｓ，Ｓｈａｎｇｈａｉ，Ｃｈｉｎａ，８−１２  Ｏｃｔｏｂｅｒ，２００７，Ｒ１−０７４０１９  “Ｄｏｗｎｌｉｎｋ  ＶＲＢ  ｅｍａｉｌ  ｒｅｆｌｅｃｔｏｒ  ｓｕｍｍａｒｙ”
【非特許文献５】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７  “Ｄｒａｆｔ  Ｒｅｐｏｒｔ  ｏｆ  ３ＧＰＰ  ＴＳＧ  ＲＡＮ  ＷＧ１  ＃５１  ｖ０．１．０”
【非特許文献６】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７，Ｒ１−０７４９２０  “ＤＶＲＢ−ｐａｉｒ  ｔｏ  ＰＲＢ−ｐａｉｒ  ａｓｓｉｇｎｍｅｎｔ  ａｎｄ  ｓｉｇｎａｌｉｎｇ”
【非特許文献７】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７，Ｒ１−０７４７２２  “ＤＬ  Ｄｉｓｔｒｉｂｕｔｅｄ  Ｒｅｓｏｕｒｃｅ  Ｓｉｇｎａｌｌｉｎｇ  ｆｏｒ  ＥＵＴＲＡ”
【発明の開示】
【発明が解決しようとする課題】
【００２７】
分散仮想リソースブロックＤＶＲＢに用いる物理リソースブロックＰＲＢペアは、周波数間隔が離れた２つの物理リソースブロックＰＲＢにより構成した方が大きな周波数ダイバーシチ効果を達成することができる。
しかしながら、ＤＶＲＢ−ｔｏ−ＰＲＢマッピングＡによる分散仮想リソースブロックＤＶＲＢと物理リソースブロックＰＲＢとの対応付けでは、システム帯域幅の各端に近い２つの物理リソースブロックＰＲＢ（２つの物理リソースブロックＰＲＢ間の周波数間隔は１４ＰＲＢ）が対応付けられた分散仮想リソースブロックＤＶＲＢ（例えば、図２０におけるＤＶＲＢ１）が割り当てられた移動局装置は、物理リソースブロックＰＲＢ間の周波数間隔が大きいので、大きな周波数ダイバーシチ効果を得ることができるが、システム帯域幅の中心に近い物理リソースブロックＰＲＢ（２つの物理リソースブロックＰＲＢ間の周波数間隔は２ＰＲＢ）が対応付けられた分散仮想リソースブロックＤＶＲＢ（例えば、図２０におけるＤＶＲＢ１４）が割り当てられた移動局装置は大きな周波数ダイバーシチ効果を得ることができないという問題がある。
【００２８】
また、ＤＶＲＢ−ｔｏ−ＰＲＢマッピングＢによる対応付けでは、各分散仮想リソースブロックＤＶＲＢを割り当てる物理リソースブロックＰＲＢの周波数間隔はいずれの分散仮想リソースブロックについても同一であり（図２１において、２つの物理リソースブロックＰＲＢ間の周波数間隔は８ＰＲＢ。）、ＤＶＲＢ−ｔｏ−ＰＲＢマッピングＡでシステム帯域幅の中心に近い物理リソースブロックＰＲＢが割り当てられたときよりも大きな周波数ダイバーシチ効果を常に得ることができるが、ＤＶＲＢ−ｔｏ−ＰＲＢマッピングＡでシステム帯域幅の端に近い物理リソースブロックＰＲＢが対応付けられたときよりも大きな周波数ダイバーシチ効果を得ることができないという問題がある。
【００２９】
本発明は、このような事情に鑑みてなされたもので、その目的は、優れた周波数ダイバーシチ効果を得ることができる無線通信システム、無線通信装置、無線受信方法、無線送信方法を提供することにある。
【課題を解決するための手段】
【００３０】
この発明は上述した課題を解決するためになされたもので、本発明の無線通信システムは、複数の第１の無線通信装置と、無線リソースを周波数方向および時間方向に予め決められた幅で区切った領域であって、前記第１の無線通信装置へ送信するデータの割り当て単位となる領域である物理リソース割当単位にて送信可能なデータ量の前記第１の無線通信装置宛てのデータの信号からなる仮想リソース割当単位を分割して、周波数方向に分散した複数の前記物理リソース割当単位に割り当てて送信する分散送信を行う第２の無線通信装置とを具備する無線通信システムにおいて、前記第２の無線通信装置は、前記仮想リソース割当単位を割り当てる前記物理リソース割当単位の組み合わせおよび順番の規則であって、予め設定された複数の規則の中から、一つの規則を選択し、選択した該規則を用いて、前記第１の無線通信装置宛ての仮想リソース割当単位を割り当てる前記物理リソース割当単位を決定するリソース対応付部と、前記対応付け部が選択した規則を表す情報と、前記対応付け部が決定した前記第１の無線通信装置宛ての仮想リソース割当単位を割り当てる前記物理リソース割当単位を、仮想リソース割当単位の開始位置と数とにより表す情報とを少なくとも含む無線リソース割当て情報を生成する割当情報生成部と、前記無線リソース割当て情報を、前記第１の無線通信装置に送信する信号に多重する多重部とを具備し、前記第１の無線通信装置は、受信した信号から前記無線リソース割当て情報を抽出し、該無線リソース割当て情報に基づき、前記受信した信号中の前記物理リソース割当単位であって、当該第１の無線通信装置宛ての仮想リソース割当単位が割り当てられた前記物理リソース割当単位から、前記仮想リソース割当単位の信号を抽出する多重分離を具備することを特徴とする。
【００３１】
これにより、無線通信システムは、仮想リソース割当単位を割り当てる物理リソース割当単位の組み合わせおよび順番の規則であって、予め設定された複数の規則の中から、一つの規則を選択するので、仮想リソース割当単位を割り当てる物理リソース割当単位の組み合わせの周波数間隔が大きくなるような規則を選択することで、優れた周波数ダイバーシチ効果を得ることができる。
【００３２】
また、本発明の無線通信システムは、上述の無線通信システムであって、前記リソース対応付部は、前記予め設定された複数の規則の中から選択した前記規則を用いて、１つの前記仮想リソース割当単位を、２つの前記物理リソース割当単位に割り当て、前記予め設定された複数の規則は、１つの前記仮想リソース割当単位を割り当てる前記２つの物理リソース割当単位が前記第２の無線通信装置の送信帯域幅の中心を軸として線対称の位置関係にある第１の規則と、前記２つの物理リソース割当単位の周波数間隔が前記第２の無線通信装置の送信帯域幅の半分である第２の規則とを含むことを特徴とする。
【００３３】
これにより、無線通信システムは、第１の規則の方が、仮想リソース割当単位を割り当てる物理リソース割当単位の組み合わせの周波数間隔が大きくなるときは、第１の規則を選択し、第２の規則の方が、仮想リソース割当単位を割り当てる物理リソース割当単位の組み合わせの周波数間隔が大きくなるときは、第２の規則を選択することで、仮想リソース割当単位を割り当てる物理リソース割当単位の組み合わせの周波数間隔が大きくなるので、優れた周波数ダイバーシチ効果を得ることができる。
【００３４】
また、本発明の無線通信システムは、上述の無線通信システムであって、前記リソース対応付部は、前記予め設定された複数の規則の中から選択した前記規則を用いて、１つの前記仮想リソース割当単位を、２つの前記物理リソース割当単位に割り当て、前記多重部は、前記１つの仮想リソース割当単位の信号を、前記２つの物理リソース割当単位各々を時間方向に２つに分けた領域のうち、異なる時間領域の２つの領域に割り当てることを特徴とする。
【００３５】
また、本発明の無線通信システムは、上述の無線通信システムであって、前記第１の規則は、前記第２の無線通信装置の送信帯域幅の両端に近い物理リソース割当単位を優先して割当てることを特徴とする。
【００３６】
これにより、無線通信システムは、第１の規則を選択したときに、仮想リソース割当単位を割り当てる物理リソース割当単位の組み合わせの周波数間隔が大きなものから割当てられるので、優れた周波数ダイバーシチ効果を得ることができる。
【００３７】
また、本発明の無線通信システムは、上述の無線通信システムであって、前記リソース対応付部は、前記一つの規則を選択する際に、分散送信を行なう前記仮想リソース割当単位の数に基づき選択することを特徴とする。
【００３８】
これにより、無線通信システムは、第１の規則の方が、仮想リソース割当単位を割り当てる物理リソース割当単位の組み合わせの周波数間隔が大きくなるような仮想リソース割当単位の数のときは、第１の規則を選択し、第２の規則の方が、仮想リソース割当単位を割り当てる物理リソース割当単位の組み合わせの周波数間隔が大きくなるような仮想リソース割当単位の数のときは、第２の規則を選択することで、仮想リソース割当単位を割り当てる物理リソース割当単位の組み合わせの周波数間隔が大きくなり、優れた周波数ダイバーシチ効果を得ることができる。
【００３９】
また、本発明の無線通信システムは、上述の無線通信システムであって、前記リソース対応付部は、分散送信を行なう前記仮想リソース割当単位の数の多寡を判定し、少ないと判定したときは前記第１の規則を選択し、多いと判定したときは前記第２の規則を選択することを特徴とする。
【００４０】
これにより、無線通信システムは、仮想リソース割当単位の数が少なく、第１の規則の方が仮想リソース割当単位を割り当てる物理リソース割当単位の組み合わせの周波数間隔が大きくなるときは、第１の規則を選択し、仮想リソース割当単位の数が多く、第２の規則の方が、仮想リソース割当単位を割り当てる物理リソース割当単位の組み合わせの周波数間隔が大きくなるときは、第２の規則を選択するので、仮想リソース割当単位を割り当てる物理リソース割当単位の組み合わせの周波数間隔が大きくなり、優れた周波数ダイバーシチ効果を得ることができる。
【００４１】
また、本発明の無線通信システムは、上述の無線通信システムであって、前記第１の規則を用いると、１つの前記仮想リソース割当単位を割り当てる前記２つの物理リソース割当単位の周波数間隔が前記第２の無線通信装置の送信帯域幅の半分よりも小さいときに、分散送信を行なう前記仮想リソース割当単位の数が多いと判定し、それ以外のときに、少ないと判定することを特徴とする。
【００４２】
これにより、無線通信システムは、仮想リソース割当単位の数が少ないと判定し、第１の規則を選択したときは、仮想リソース割当単位を割り当てる物理リソース割当単位の組み合わせの周波数間隔が送信帯域幅の半分よりも大きくなり、仮想リソース割当単位の数が多いと判定し、第２の規則を選択したときは、仮想リソース割当単位を割り当てる物理リソース割当単位の組み合わせの周波数間隔が送信帯域幅の半分となるので、仮想リソース割当単位を割り当てる物理リソース割当単位の組み合わせの周波数間隔が送信帯域幅の半分か、それよりも大きくなり、優れた周波数ダイバーシチ効果を得ることができる。
【００４３】
また、本発明の第１の無線通信装置は、無線リソースを周波数方向および時間方向に予め決められた幅で区切った領域であって、無線リソースにおける送信されるデータの割り当て単位となる領域である物理リソース割当単位にて送信可能なデータ量のデータの信号からなる仮想リソース割当単位を分割し、周波数方向に分散した複数の前記物理リソース割当単位に割り当てて送信された信号を受信する第１の無線通信装置において、前記仮想リソース割当単位を割り当てる前記物理リソース割当単位の組み合わせおよび順番の規則を表す情報と、前記仮想リソース割当単位を割り当てる前記物理リソース割当単位を、仮想リソース割当単位の開始位置と数とにより表す情報とを少なくとも含む無線リソース割当て情報を、受信した信号から抽出し、該無線リソース割当て情報に基づき、前記受信した信号中の前記物理リソース割当単位であって、当該装置宛ての仮想リソース割当単位が割り当てられた前記物理リソース割当単位から、前記仮想リソース割当単位の信号を抽出する多重分離部を具備することを特徴とする。
【００４４】
また、本発明の第２の無線通信装置は、無線リソースを周波数方向および時間方向に予め決められた幅で区切った領域であって、無線リソースにおけるデータの割り当て単位となる領域である物理リソース割当単位にて送信可能なデータ量のデータの信号からなる仮想リソース割当単位を分割して、周波数方向に分散した複数の前記物理リソース割当単位に割り当てて送信する分散送信を行う第２の無線通信装置において、前記仮想リソース割当単位を割り当てる前記物理リソース割当単位の組み合わせおよび順番の規則であって、予め設定された複数の規則の中から、一つの規則を選択し、選択した該規則を用いて、前記仮想リソース割当単位を割り当てる前記物理リソース割当単位を決定するリソース対応付部と、前記リソース対応付部が選択した規則を表す情報と、前記仮想リソース割当単位を割り当てる前記物理リソース割当単位を、仮想リソース割当単位の開始位置と数とにより表す情報とを少なくとも含む無線リソース割当て情報を生成する割当情報生成部と、前記無線リソース割当て情報を、送信する信号に多重する多重部とを具備することを特徴とする。
【００４５】
また、本発明の無線受信方法は、無線リソースを周波数方向および時間方向に予め決められた幅で区切った領域であって、無線リソースにおける送信されるデータの割り当て単位となる領域である物理リソース割当単位にて送信可能なデータ量のデータの信号からなる仮想リソース割当単位を分割し、周波数方向に分散した複数の前記物理リソース割当単位に割り当てて送信された信号を受信する第１の無線通信装置における無線受信方法において、前記第１の無線通信装置が、前記仮想リソース割当単位を割り当てる前記物理リソース割当単位の組み合わせおよび順番の規則を表す情報と、前記仮想リソース割当単位を割り当てる前記物理リソース割当単位を、仮想リソース割当単位の開始位置と数とにより表す情報とを少なくとも含む無線リソース割当て情報を、受信した信号から抽出する第１の過程と、前記第１の無線通信装置が、前記無線リソース割当て情報に基づき、前記受信した信号中の前記物理リソース割当単位であって、当該装置宛ての仮想リソース割当単位が割り当てられた前記物理リソース割当単位から、前記仮想リソース割当単位の信号を抽出する第２の過程とを備えることを特徴とする。
【００４６】
また、本発明の無線送信方法は、無線リソースを周波数方向および時間方向に予め決められた幅で区切った領域であって、無線リソースにおけるデータの割り当て単位となる領域である物理リソース割当単位にて送信可能なデータ量のデータの信号からなる仮想リソース割当単位を分割して、周波数方向に分散した複数の前記物理リソース割当単位に割り当てて送信する分散送信を行う第２の無線通信装置における無線送信方法において、前記第２の無線通信装置が、前記仮想リソース割当単位を割り当てる前記物理リソース割当単位の組み合わせおよび順番の規則であって、予め設定された複数の規則の中から、一つの規則を選択し、選択した該規則を用いて、前記仮想リソース割当単位を割り当てる前記物理リソース割当単位を決定する第１の過程と、前記第２の無線通信装置が、前記第１の過程にて選択された規則を表す情報と、前記仮想リソース割当単位を割り当てる前記物理リソース割当単位を、仮想リソース割当単位の開始位置と数とにより表す情報とを少なくとも含む無線リソース割当て情報を生成する第２の過程と、前記第２の無線通信装置が、前記無線リソース割当て情報を、送信する信号に多重する第３の過程とを備えることを特徴とする。
【発明の効果】
【００４７】
この発明によれば、仮想リソース割当単位を割り当てる物理リソース割当単位の組み合わせおよび順番の規則であって、予め設定された複数の規則の中から、一つの規則を選択するので、仮想リソース割当単位を割り当てる物理リソース割当単位の組み合わせの周波数間隔が大きくなるような規則を選択することで、優れた周波数ダイバーシチ効果を得ることができる。
【発明を実施するための最良の形態】
【００４８】
以下、図面を参照し、本発明の実施形態について説明する。本実施形態による無線通信システムは、基地局装置（第２の無線通信装置）１と、該基地局装置１が送信した信号を受信する複数の移動局装置（第１の無線通信装置）２とを具備する。基地局装置１から移動局装置２への無線通信の下りリンクは、下りリンクパイロットチャネルと、下りリンク同期チャネルと、報知チャネル、下りリンク制御チャネルと、下りリンク共有データチャネル、制御フォーマットインディケータチャネル、下りリンクＨＡＲＱ（Hybrid Automatic Repeat reQuest）インディケータチャネルとにより構成されている。また、移動局装置２から基地局装置１への無線通信の上りリンクは、上りリンクパイロットチャネルと、ランダムアクセスチャネルと、上りリンク制御チャネルと、上りリンク共有データチャネルとにより構成されている。
【００４９】
図１は、本実施形態における基地局装置１から移動局装置２への下りリンク無線フレーム（無線リソース）の概略構成を示す図である。横軸は周波数領域、縦軸は時間領域を表している。下りリンク無線フレームは、集中（Ｌｏｃａｌｉｚｅｄ）送信の際の各移動局装置への無線リソース割り当てなどの単位であり、予め決められた幅の周波数帯および時間帯からなるＰＲＢ（Ｐｈｙｓｉｃａｌ  Ｒｅｓｏｕｒｃｅ  Ｂｌｏｃｋ：物理リソースブロック）ペア（物理リソース割当単位）から構成されている。基本的に１物理リソースブロックＰＲＢペアは時間領域で連続する２個の物理リソースブロックＰＲＢから構成される。
【００５０】
１個の物理リソースブロックＰＲＢは周波数領域において１２個のサブキャリアから構成され、時間領域において７個のＯＦＤＭシンボルから構成される。システム帯域幅は、基地局装置１の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンク無線フレームではシステム帯域幅に応じて複数の物理リソースブロックＰＲＢが配置される。
【００５１】
各サブフレームには少なくとも、情報データの送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについても配置されるが、図１においては図示しない。図１では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化する。
【００５２】
なお、図１において図示は省略しているが、下りリンク制御チャネルを構成するＯＦＤＭシンボル数を示す制御フォーマットインディケータチャネルは１ＯＦＤＭシンボル目の予め決められた周波数位置に配置され、下りリンク制御チャネルは１番目のＯＦＤＭシンボルのみに配置されたり、１番目と２番目のＯＦＤＭシンボルに配置されたりする。また、同様に、図１において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は報知チャネルによって示される。なお、同一のＯＦＤＭシンボルにおいて下りリンク制御チャネルと下りリンク共有データチャネルは一緒に配置されない。下りリンク制御チャネルは、移動局識別子または移動局群識別子、下りリンク共有データチャネルの無線リソース割り当て情報、マルチアンテナ関連情報、変調方式、符号化率、ペイロードサイズ、再送パラメータなどが配置される。
【００５３】
本実施形態の基地局装置１は、移動局装置２宛ての分散仮想リソースブロックＤＶＲＢ（仮想リソース割当単位）を分割して、周波数方向に分散した複数の物理リソースブロックＰＲＢペアに割り当てて送信する分散送信を行う。ここで、分散仮想リソースブロックＤＶＲＢは、物理リソースブロックＰＲＢペアにて送信可能なデータ量の移動局装置２宛てのデータの信号からなる。ここで、物理リソースブロックＰＲＢペアは、下りリンク無線フレームを周波数方向および時間方向に予め決められた幅で区切った領域、すなわち時間方向に連続した２つの物理リソースブロックＰＲＢであり、移動局装置２へ送信するデータの割り当て単位となる領域である。
【００５４】
図２は、本発明の実施形態における基地局装置１の構成を示す概略ブロック図である。図２に示すように、基地局装置１は、無線リソース制御部１１、制御部１２、送信処理部１３、受信処理部１４を具備する。無線リソース制御部１１は、移動局装置２との間欠送受信サイクル、変調方式・符号化率、送信電力、無線リソース割り当て、下りリンク制御チャネルを構成するＯＦＤＭシンボル数、多重などを管理し、これら管理内容を指示する制御情報を制御部１２に出力すると共に、制御部１２、送信処理部１３を通して移動局装置２に制御データとして通知する。
【００５５】
また、無線リソース制御部１１は、リソース対応付部１５を具備する。リソース対応付部１５は、分散仮想リソースブロックＤＶＲＢを割り当てる物理リソースブロックＰＲＢペアの組み合わせおよび順番の規則であって、予め設定された複数の規則の中から、一つの規則を選択する。さらにリソース対応付部１５は、この選択した規則を用いて、移動局装置２宛ての分散仮想リソースブロックＤＶＲＢを割り当てる物理リソースブロックＰＲＢペアを決定する。このとき、リソース対応付部１５が、１つの分散仮想リソースブロックＤＶＲＢを、２つの物理リソースブロックＰＲＢペアに割り当て、多重度Ｎｄ２の場合と、１つの分散仮想リソースブロックＤＶＲＢを、３つの物理リソースブロックＰＲＢペアに割り当て、多重度Ｎｄ３の場合とがあるが、詳細は、図４と図５の説明にて述べる。
【００５６】
制御部１２は、無線リソース制御部１１から入力された制御情報に基づいて送信処理部１３と受信処理部１４の制御を行うために、送信処理部１３と受信処理部１４に制御信号を出力する。制御部１２は、送受信信号の変調方式、符号化率の設定、下りリンク制御チャネルを構成するＯＦＤＭシンボル数の設定、各チャネルのリソースエレメントへの配置設定などの制御を、送信処理部１３および受信処理部１４に対して行う。また、制御部１２は、下りリンク制御チャネルに配置する制御データを生成し、送信処理部１３に送信を指示する。また、制御部１２は、下りリンク制御チャネルではなく下りリンク共有データチャネルに配置する制御データを生成し、送信処理部１３に情報データと共にデータとして送信を行うように指示する。
【００５７】
また、制御部１２は、割当情報生成部１６を具備する。割当情報生成部１６は、リソース対応付部１５が選択した規則を表す情報（フラグ）と、移動局装置２宛ての分散仮想リソースブロックＤＶＲＢを、仮想リソースブロックＶＲＢの開始位置（Ｓｔａｒｔｉｎｇ  ＶＲＢ  ｎｕｍｂｅｒ）（ＶＲＢ開始位置）および数（Ｎｕｍｂｅｒ  ｏｆ  Ｃｏｎｓｅｃｕｔｉｖｅ  ＶＲＢｓ）（ＶＲＢ数）により表す情報とを少なくとも含む無線リソース割当て情報を生成し、この無線リソース割当て情報を下りリンク制御チャネルで送信する制御データに含めて、送信処理部１３に出力する。
【００５８】
送信処理部１３は、制御部１２からの入力に基づき、下りリンク制御チャネル、下りリンク共有データチャネル、下りリンクパイロットチャネル、制御フォーマットインディケータチャネルを生成し、各チャネルを下りリンクフレームに多重し、複数の、例えば４つの送信アンテナを介して、各移動局装置２に送信する。なお、本発明とは直接の関連がないため、報知チャネル、下りリンク同期チャネル、下りリンクＨＡＲＱインディケータチャネルに関する処理の説明は省略する。
【００５９】
受信処理部１４は、制御部１２からの入力に基づき、各移動局装置２が送信した上りリンク制御チャネル、上りリンク共有データチャネル、上りリンクパイロットチャネル、ランダムアクセスチャネルの受信を受信アンテナを介して行う。なお、本発明とは直接の関連がないため、上りリンクに関する処理（受信処理部）の説明は省略する。
【００６０】
図３は、本実施形態における基地局装置１の送信処理部１３の内部構成を示す概略ブロック図である。基地局装置１の送信処理部１３は、複数の下りリンク共有データチャネル処理部１００と、複数の下りリンク制御チャネル処理部１１０と、参照信号（下りリンクパイロットチャネル）生成部１２０と、制御フォーマットインディケータ信号生成部１３０と、多重部１４０と、送信アンテナ毎にアンテナ毎送信処理部１５０とを具備する。複数の下りリンク共有データチャネル処理部１００、複数の下りリンク制御チャネル処理部１１０、送信アンテナ毎のアンテナ毎送信処理部１５０は同様の構成及び機能を有するので、その一つを代表して説明する。
【００６１】
下りリンク共有データチャネル処理部１００は、下りリンク共有データチャネルの処理を行う、すなわち各々の下りリンク共有データチャネル処理部１１０が、いずれか一つの移動局装置２宛ての情報データを受けて、該移動局装置２宛ての分散仮想リソースブロックＤＶＲＢの信号を生成する。下りリンク共有データチャネル処理部１００は、ターボ符号部１０１と、データ変調部１０２とを具備する。
【００６２】
下りリンク制御チャネル処理部１１０は、下りリンク制御チャネルの処理を行う、すなわち各々の下りリンク制御チャネル処理部１１０が、いずれかの一つの移動局装置２宛の制御データを受けて、該移動局装置２宛ての分散仮想リソースブロックＤＶＲＢの無線リソース割り当てに関する情報を含む信号を生成する。下りリンク制御チャネル処理部１１０は、畳み込み符号部１１１と、ＱＰＳＫ変調部１１２とを具備する。
【００６３】
送信アンテナ毎送信処理部１５０は、多重部１４０が各送信アンテナ向けに多重した信号を、各送信アンテナを介して送信する。送信アンテナ毎送信処理部１５０は、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部１５１と、ＧＩ（Ｇｕａｒｄ  Ｉｎｔｅｒｖａｌ：ガードインターバル）挿入部１５２と、Ｄ／Ａ（ディジタル／アナログ変換）部１５３と、送信ＲＦ（Ｒａｄｉｏ  Ｆｒｅｑｕｅｎｃｙ；無線周波数）部１５４とを具備する。
【００６４】
複数の下りリンク共有データチャネル処理部１００各々は、情報データ、および制御部１２から入力された制御データ（以下、情報データと制御データとをあわせて「データ」という）をＯＦＤＭ方式で伝送するためのベースバンド処理を行う。ターボ符号部１０１は、制御部１２からの符号化率の指示に従い、入力されたデータの誤り耐性を高めるためのターボ符号による誤り訂正符号化を行う。データ変調部１０２は、ＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１２から指示された変調方式で、ターボ符号部１０１により誤り訂正符号化されたデータを変調する。
【００６５】
複数の下りリンク制御チャネル処理部１１０各々は、制御データをＯＦＤＭ方式で伝送するためのベースバンド処理を行う。畳み込み符号部１１１は、制御部１２から入力された制御データの誤り耐性を高めるための畳み込み符号による誤り訂正符号化を行う。ＱＰＳＫ変調部１１２は、畳み込み符号部１１１により誤り訂正符号化された制御データをＱＰＳＫ変調方式で変調する。参照信号生成部１２０は、下りリンクパイロットチャネルで基地局装置１の各送信アンテナが送信する参照信号を生成する。制御フォーマットインディケータ信号生成部１３０は、下りリンク制御チャネルを構成するＯＦＤＭシンボルを示す情報を制御フォーマットインディケータチャネルで送信する制御フォーマットインディケータ信号を生成する。
【００６６】
多重部１４０は、制御部１２からの制御信号に基づいて、下りリンク共有データチャネル処理部１００が出力した符号化及び変調等の処理済の各移動局装置２宛てのデータの送信信号と、下りリンク制御チャネル処理部１１０が出力した符号化及び変調等の処理済みの制御データの送信信号と、制御フォーマットインディケータ信号と、参照信号とを各送信アンテナ向けのリソースエレメントに配置する。
【００６７】
多重部１４０は、分散仮想リソースブロックＤＶＲＢの信号を構成する下りリンク共有データチャネルの物理リソースブロックＰＲＢ内におけるリソースエレメントへの信号配置には、多重数Ｎｄが２の場合は、スロットベースホッピング（Ｓｌｏｔ−ｂａｓｅｄ  ｈｏｐｐｉｎｇ）、多重数Ｎｄが３の場合は、ＯＦＤＭシンボルベースホッピング（ＯＦＤＭ  ｓｙｍｂｏｌ−ｂａｓｅｄ  ｈｏｐｐｉｎｇ）を用いる。これらの２つの信号配置については、図４および図５の説明にて詳述する。なお、物理リソースブロックＰＲＢペアと分散仮想リソースブロックＤＶＲＢの対応付けは無線リソース制御部１１が決定し、制御部１２を介して入力された前記対応付けに関する制御情報と分散仮想リソースブロックＤＶＲＢナンバーに基づいて、多重部１４０は分散仮想リソースブロックＤＶＲＢの信号を物理リソースブロックＰＲＢに配置する。
【００６８】
ＩＦＦＴ部１５１は、多重部１４０から入力された信号を高速逆フーリエ変換し、ＯＦＤＭ方式の変調を行う。ＧＩ挿入部１５２は、ＯＦＤＭ変調済みの信号にガードインターバルを付加することで、ＯＦＤＭ方式におけるシンボルとし、ベースバンドのディジタル信号を生成する。ガードインターバルは、伝送するシンボルの先頭又は末尾の一部を複製する公知の方法によって得る。Ｄ／Ａ部１５３は、ＧＩ挿入部１１２から入力されたベースバンドのディジタル信号をアナログ信号に変換する。
【００６９】
送信ＲＦ部１５４は、Ｄ／Ａ部１５３から入力されたアナログ信号から、中間周波数の同相成分及び直交成分を生成し、中間周波数帯域に対する余分な周波数成分を除去し、中間周波数の信号を高周波数の信号に変換（アップコンバート）し、余分な周波数成分を除去し、電力増幅し、送信アンテナのいずれかに出力する。基地局装置１には、アンテナ毎送信処理部１５０を、送信に使用される送信アンテナの数だけ、すなわち、本実施形態では４つ具備し、各アンテナ毎送信処理部１５０は多重部１４０が出力した各送信アンテナ向けの信号を処理する。
【００７０】
図４は、多重数Ｎｄが２の場合に分散仮想リソースブロックＤＶＲＢの信号配置に用いられるスロットベースホッピングを説明する図である。ここでは、多重部１４０により、下りリンク制御チャネルが、下りリンクパイロットチャネルが配置されたリソースエレメントを除いた、分散物理リソースブロックＤＰＲＢ中の１番目から３番目のＯＦＤＭシンボルに配置され、下りリンク共有データチャネルが４番目から１４番目のＯＦＤＭシンボルに配置され、４本の送信アンテナの下りリンクパイロットチャネルＲ１、Ｒ２、Ｒ３、Ｒ４が配置された場合について説明する。
【００７１】
多重数Ｎｄが２の場合、分散仮想リソースブロックＤＶＲＢ１とＤＶＲＢ２を同じ分散物理リソースブロックＤＰＲＢ（ＤＰＲＢ１とＤＰＲＢ２）内に配置する。多重数Ｎｄが２の場合、分散仮想リソースブロックＤＶＲＢ１とＤＶＲＢ２の信号の時間多重には、スロットベースホッピング（Ｓｌｏｔ−ｂａｓｅｄ  ｈｏｐｐｉｎｇ）を用いる。
【００７２】
分散仮想リソースブロックＤＶＲＢ１の信号は、下りリンクパイロットチャネルＲ１、Ｒ２、Ｒ３、Ｒ４が配置されるリソースエレメントを除いた、分散物理リソースブロックＤＰＲＢ１の１番目のスロットの下りリンク共有データチャネル部分である４番目から７番目までのＯＦＤＭシンボルと、分散物理リソースブロックＤＰＲＢ２の２番目のスロットの下りリンク共有データチャネル部分である８番目から１４番目までのＯＦＤＭシンボルに、多重部１４０により配置される。すなわち、多重部１４０は、１つの分散仮想リソースブロックＤＶＲＢの信号を、２つの物理リソースブロックＰＲＢペア各々を物理リソースブロックＰＲＢの境界にて時間方向に２つに分けた領域のうち、異なる時間領域の２つの領域に割り当てる。
【００７３】
分散仮想リソースブロックＤＶＲＢ２の信号は、下りリンクパイロットチャネルＲ１、Ｒ２、Ｒ３、Ｒ４が配置されるリソースエレメントを除いた、分散物理リソースブロックＤＰＲＢ２の１番目のスロットの下りリンク共有データチャネル部分である４番目から７番目までのＯＦＤＭシンボルと、分散物理リソースブロックＤＰＲＢ１の２番目のスロットの下りリンク共有データチャネル部分である８番目から１４番目までのＯＦＤＭシンボルに配置される。つまり、多重数Ｎｄが２の場合、分散仮想リソースブロックＤＶＲＢの信号は、一方の分散物理リソースブロックＤＰＲＢの１番目のスロットと、もう一方の分散物理リソースブロックＤＰＲＢにおける先と異なる２番目のスロットとに配置される。
【００７４】
図５は、多重数Ｎｄが３の場合に分散仮想リソースブロックＤＶＲＢの信号配置に用いられるＯＦＤＭシンボルベースホッピングを説明する図である。ここでは、分散物理リソースブロックＤＰＲＢ１、ＤＰＲＢ２、ＤＰＲＢ３において、下りリンク制御チャネルが１番目から３番目のＯＦＤＭシンボルに配置され、下りリンク共有データチャネルが４番目から１４番目のＯＦＤＭシンボルに配置され、４本の送信アンテナの下りリンクパイロットチャネルが配置された場合について説明する。多重数Ｎｄが３の場合、分散仮想リソースブロックＤＶＲＢ１とＤＶＲＢ２とＤＶＲＢ３を同じ分散物理リソースブロックＤＰＲＢ（ＤＰＲＢ１とＤＰＲＢ２とＤＰＲＢ３）内に配置する。
【００７５】
多重数Ｎｄが３の場合、分散仮想リソースブロックＤＶＲＢ１とＤＶＲＢ２とＤＶＲＢ３の時間多重には、ＯＦＤＭシンボルベースホッピング（ＯＦＤＭ  ｓｙｍｂｏｌ−ｂａｓｅｄ  ｈｏｐｐｉｎｇ）を用いる。分散仮想リソースブロックＤＶＲＢ１の信号は、分散物理リソースブロックＤＰＲＢ１の４番目と７番目と１０番目と１３番目のＯＦＤＭシンボルと、分散物理リソースブロックＤＰＲＢ２の６番目と９番目と１２番目のＯＦＤＭシンボルと、分散物理リソースブロックＤＰＲＢ３の５番目と８番目と１１番目と１４番目のＯＦＤＭシンボルに配置される。
【００７６】
分散仮想リソースブロックＤＶＲＢ２の信号は、分散物理リソースブロックＤＰＲＢ２の４番目と７番目と１０番目と１３番目のＯＦＤＭシンボルと、分散物理リソースブロックＤＰＲＢ３の６番目と９番目と１２番目のＯＦＤＭシンボルと、分散物理リソースブロックＤＰＲＢ１の５番目と８番目と１１番目と１４番目のＯＦＤＭシンボルに配置される。
【００７７】
分散仮想リソースブロックＤＶＲＢ３の信号は、分散物理リソースブロックＤＰＲＢ３の４番目と７番目と１０番目と１３番目のＯＦＤＭシンボルと、分散物理リソースブロックＤＰＲＢ１の６番目と９番目と１２番目のＯＦＤＭシンボルと、分散物理リソースブロックＤＰＲＢ２の５番目と８番目と１１番目と１４番目のＯＦＤＭシンボルに配置される。つまり、多重数Ｎｄが３の場合、分散仮想リソースブロックＤＶＲＢは、分散物理リソースブロックＤＰＲＢ内において３ＯＦＤＭシンボル間隔で信号が配置され、異なる分散物理リソースブロックＤＰＲＢでは異なるＯＦＤＭシンボルから３ＯＦＤＭシンボル間隔で信号が配置される。
【００７８】
図６は、本実施形態における移動局装置２の構成を示す概略ブロック図である。図６に示すように、移動局装置２は、制御部２１、送信処理部２２、受信処理部２３を有する。受信処理部２３は、受信アンテナを介して基地局装置２から受信した下りリンク制御チャネル、下りリンク共有データチャネル、下りリンクパイロットチャネル、制御フォーマットインディケータチャネルに対し受信処理を行う。
【００７９】
制御部２１は、基地局装置１より下りリンク制御チャネル、下りリンク共有データチャネルを用いて通知された制御データに基づいて、送信処理部２２、受信処理部２３を制御する。また、制御部２１は、基地局装置１より通知された分散仮想リソースブロックＤＶＲＢマッピングの無線リソース割り当て情報（ＤＶＲＢとＰＲＢペアの対応付けを表すフラグ、ＶＲＢ開始位置（Ｓｔａｒｔｉｎｇ  ＶＲＢ  ｎｕｍｂｅｒ）、ＶＲＢ数（Ｎｕｍｂｅｒ  ｏｆ  ｃｏｎｓｅｃｕｔｉｖｅ  ＶＲＢｓ）を含む）、制御フォーマットインディケータに基づき、自移動局装置２に分散送信された信号が配置されたリソースエレメントを検出し、受信した信号を抽出する制御信号を受信処理部２３に出力する。自移動局装置２に分散送信された信号が配置されたリソースエレメントの検出方法は後述する。
【００８０】
送信処理部２２は、制御部２１からの入力に基づき、上りリンク制御チャネル、上りリンク共有データチャネル、上りリンクパイロットチャネル、ランダムアクセスチャネルの送信を送信アンテナを介して行う。なお、本発明とは直接の関連がないため、送信処理部２２による上りリンクに関する処理の詳細については省略する。
【００８１】
図７は、本実施形態における移動局装置２の受信処理部２３の内部構成を示す概略ブロック図である。移動局装置２の受信処理部２３は、受信ＲＦ部２０１と、Ａ／Ｄ部２０２と、ＧＩ除去部２０３と、ＦＦＴ部２０４と、多重分離部２０５と、伝播路推定部２０６と、伝播路補償部２０７と、制御フォーマットインディケータ検出部２０８と、伝播路補償部２０９と、データ復調部２１０と、ターボ復号部２１１と、伝播路補償部２１２と、ＱＰＳＫ復調部２１３と、ビタビデコーダ部２１４とを具備する。本実施形態では、受信ＲＦ部２０１とＡ／Ｄ部２０２とＧＩ除去部２０３とＦＦＴ部２０４とで、受信部として機能する。
【００８２】
受信ＲＦ部２０１は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部２０２は、受信ＲＦ部２０１により直交復調されたアナログ信号をディジタル信号に変換する。ＧＩ除去部２０３は、Ａ／Ｄ部２０２の出力したディジタル信号からガードインターバルに相当する部分を除去する。ＦＦＴ部２０４は、ＧＩ除去部２０３から入力された信号を高速フーリエ変換し、ＯＦＤＭ方式の復調を行う。
【００８３】
多重分離部２０５は、制御部２１からの指示に基づき、ＦＦＴ部２０４がフーリエ変換した信号、すなわちＯＦＤＭ方式により復調された受信信号から下りリンクパイロットチャネル、制御フォーマットインディケータチャネル、下りリンク共有データチャネル、下りリンク制御チャネルを、配置されたリソースエレメントから抽出して、出力する。具体的には、多重分離部２０５は、固定の配置である下りリンクパイロットチャネルと制御フォーマットインディケータチャネルを抽出して、下りリンクパイロットチャネルは伝播路推定部２０６に出力し、制御フォーマットインディケータチャネルは伝播路補償部２０７に出力する。さらに、多重分離部２０５は、制御部２１を介して入力される、先に伝播路補償部２０７に出力した制御フォーマットインディケータチャネルに含まれる下りリンク制御チャネルが配置されたリソースエレメントを表す情報に基づいて、無線リソース割当て情報を含む下りリンク制御チャネルを抽出して、伝播路補償部２１２に出力する。
【００８４】
また、多重分離部２０５は、制御部２１を介して入力される、先に伝播路補償部２１２に出力した下りリンク制御チャネルに含まれる無線リソース割り当て情報に基づいて下りリンク共有データチャネルを抽出して、伝播路補償部２０９に出力する。このとき、多重分離部２０５は、分散送信された下りリンク共有データチャネル、すなわち物理リソースブロックＰＲＢの下りリンク共有データチャネルに多重化された信号から、基地局装置１の多重部１４０による信号配置を表わす分散仮想リソースブロックＤＶＲＢマッピングに関する情報を含む無線リソース割り当て情報に基づき、当該移動局装置２宛ての分散仮想リソースブロックの信号を抽出する。この抽出方法（分散仮想リソースブロックＤＶＲＢの信号が配置されたリソースエレメントの検出方法）については後述する。
【００８５】
伝播路推定部２０６は、多重分離部２０５が分離した下りリンクパイロットチャネルに配置された既知の参照信号の受信結果に基づいて基地局装置１の送信アンテナ各々に対する伝播路変動を推定し、伝播路変動補償値を出力する。伝播路補償部２０７は、伝播路推定部２０６からの伝播路変動補償値に基づいて、多重分離部２０５から入力された制御フォーマットインディケータチャネルの信号の伝播路変動の補償を行う。制御フォーマットインディケータ検出部２０８は、伝播路変動の補償が行われた制御フォーマットインディケータチャネルに配置された信号から下りリンク制御チャネルが構成されるＯＦＤＭシンボル数を示す制御フォーマットインディケータの情報を検出し、制御部２１に出力する。
【００８６】
伝播路補償部２０９は、伝播路推定部２０６からの伝播路変動補償値に基づいて、多重分離部２０５から入力された下りリンク共有データチャネルの信号の伝播路変動の補償を行う。データ復調部２１０は、伝播路補償部２０９により伝播路変動の補償された下りリンク共有データチャネルの復調を行う。この復調は、基地局装置１のデータ変調部１０２で用いた変調方式に対応したものが行われ、この変調方式は、下りリンク制御チャネルに含まれる情報に基づき制御部２１から指示される。ターボ復号部２１１は、データ復調部２１０が復調した下りリンク共有データチャネルを復号する。この復号は、基地局装置１のターボ符号部１０１で用いた符号化率に対応したものが行われ、この符号化率は、下りリンク制御チャネルに含まれる情報に基づき制御部２１から指示される。
【００８７】
伝播路補償部２１２は、伝播路推定部２０６からの伝播路変動補償値に基づいて、多重分離部２０５から入力された下りリンク制御チャネルの信号の伝播路変動の補償を行う。ＱＰＳＫ復調部２１３は、伝播路補償部２１２により伝播路変動の補償された下りリンク制御チャネルのＱＰＳＫ復調を行う。ビタビデコーダ部２１４は、ＱＰＳＫ復調部２１３が復調した下りリンク制御チャネルを復号する。ビタビデコーダ部２１４で復号された下りリンク制御チャネルに構成される制御データは制御部２１に入力される。制御部２１は、分散仮想リソースブロックＤＶＲＢマッピングに関する情報を含む無線リソース割り当て情報に基づいて多重分離部２０５に制御信号を出力し、変調方式に関する情報に基づいてデータ復調部２１０に制御信号を出力し、符号化率に関する情報に基づいてターボ復号部２１１に制御信号を出力する。
【００８８】
図８は、本実施形態における分散仮想リソースブロックＤＶＲＢマッピングの無線リソース割り当て情報のフォーマットを示す図である。図８に示すように、分散仮想リソースブロックＤＶＲＢの無線リソース割り当て情報は、ＤＶＲＢとＰＲＢペアの対応付けを表すフラグ、ＶＲＢ開始位置（Ｓｔａｒｔｉｎｇ  ＶＲＢ  ｎｕｍｂｅｒ）、ＶＲＢ数（Ｎｕｍｂｅｒ  ｏｆ  ｃｏｎｓｅｃｕｔｉｖｅ  ＶＲＢｓ）から少なくとも構成される。
【００８９】
ＤＶＲＢとＰＲＢペアの対応付けを表すフラグは、分散仮想リソースブロックＤＶＲＢを割当てる物理リソースブロックＰＲＢペアの組合せと順番の規則のタイプを示す。このフラグは、例えば、１ビットにより構成され、フラグ＝“０”はシステム帯域の両端からシステム帯域の中心に向かう順に、システム帯域の中心を軸として線対称の位置関係にある物理リソースブロックＰＲＢペア同士を組にして分散仮想リソースブロックＤＶＲＢに割当てるＤＶＲＢ−ｔｏ−ＰＲＢマッピングＡ（第１の規則）を示す。フラグ＝“１”はシステム帯域の周波数が低い方から高い方に向かう順に、システム帯域幅の半分の周波数間隔を置いた物理リソースブロックＰＲＢペア同士を組にして分散仮想リソースブロックＤＶＲＢに割当てるＤＶＲＢ−ｔｏ−ＰＲＢマッピングＢ（第２の規則）を示す。ＶＲＢ開始位置は、当該移動局装置２に割り当てる最初の分散仮想リソースブロックＤＶＲＢナンバーを示す。
【００９０】
図９に示すように、システム帯域幅に１５個の分散仮想リソースブロックＤＶＲＢが構成される場合、ＶＲＢ開始位置は４ビット（１６状態）により構成される。ＶＲＢ数は、連続して割り当てる分散仮想リソースブロックＤＶＲＢの数を示す。例えば、無線通信システムにおいて、一つの移動局装置２に周波数方向に連続して割り当てる分散仮想リソースブロックＤＶＲＢの数を２つまでとした場合は、ＶＲＢ数は１ビット（２状態）により構成される。なお、無線通信システムにおいて連続して割り当てるＤＶＲＢ数を１つとした場合は、ＶＲＢ数は不要であり、無線リソース割り当て情報に含まれなくてもよい。
【００９１】
基地局装置１は、システム帯域幅に構成される物理リソースブロックＰＲＢ数、同時に割り当てる分散仮想リソースブロックＤＶＲＢ数に応じて、分散仮想リソースブロックＤＶＲＢと物理リソースブロックＰＲＢペアの対応付けを制御し、フラグを用いて移動局装置１に通知する。図９、図１０、図１１を用いて、基地局装置１のフラグによる制御例を説明する。
【００９２】
基地局装置１は、同時に割り当てる分散仮想リソースブロックＤＶＲＢ数が少ない場合、図１０に示すように分散仮想リソースブロックＤＶＲＢを物理リソースブロックＰＲＢペアに割当てるＤＶＲＢ−ｔｏ−ＰＲＢマッピングＡを用いる。図１０は、横軸に周波数をとり、低い周波数から高い周波数に向かってシステム帯域に渡って配置された物理リソースブロックＰＲＢペアであるＰＲＢ１からＰＲＢ１５各々の１番目のスロットと２番目のスロットに割当てられる分散仮想リソースブロックＤＶＲＢとその順番を符号ＤＶＲＢ１〜ＤＶＲＢ１４にて示している。ＤＶＲＢ−ｔｏ−ＰＲＢマッピングＡでは、図１０に示すように、基地局装置１は、基本的にシステム帯域幅の端の物理リソースブロックＰＲＢペアが対応付けられた分散仮想リソースブロックＤＶＲＢを優先的に用いる。
【００９３】
すなわち、１番目に用いられる分散仮想リソースブロックＤＶＲＢであるＤＶＲＢ１は、周波数の最も低い物理リソースブロックＰＲＢペアであるＰＲＢ１の１番目のスロットと、周波数の最も高い物理リソースブロックＰＲＢペアであるＰＲＢ１５の２番目のスロットとに割当てられ、２番目に用いられる分散仮想リソースブロックＤＶＲＢであるＤＶＲＢ２は、周波数の最も低い物理リソースブロックＰＲＢペアであるＰＲＢ１の２番目のスロットと、周波数の最も高い物理リソースブロックＰＲＢペアであるＰＲＢ１５の１番目のスロットとに割当てられる。
【００９４】
次の３番目に用いられる分散仮想リソースブロックＤＶＲＢであるＤＶＲＢ３は、周波数の最も低い物理リソースブロックＰＲＢペアであるＰＲＢ１の高周波側に隣接する物理リソースブロックＰＲＢペアであるＰＲＢ２の１番目のスロットと、周波数の最も高い物理リソースブロックＰＲＢペアであるＰＲＢ１５の低周波側に隣接する物理リソースブロックＰＲＢペアであるＰＲＢ１４の２番目のスロットとに割当てられ、４番目に用いられる分散仮想リソースブロックＤＶＲＢであるＤＶＲＢ２は、２番目に周波数の低い物理リソースブロックＰＲＢペアであるＰＲＢ２の２番目のスロットと、２番目に周波数の高い物理リソースブロックＰＲＢペアであるＰＲＢ１４の１番目のスロットとに割当てられる。このように、ＤＶＲＢ−ｔｏ−ＰＲＢマッピングＡでは、システム帯域の両端から中心に向かう順に、システム帯域の中心から見て対象な位置にある物理リソースブロックＰＲＢペアが、分散仮想リソースブロックに割当てられる。
【００９５】
基地局装置１は、同時に割り当てる分散仮想リソースブロックＤＶＲＢ数が多い場合、図１１に示すように分散仮想リソースブロックＤＶＲＢを物理リソースブロックＰＲＢペアに割当てるＤＶＲＢ−ｔｏ−ＰＲＢマッピングＢを用いる。図１１は、横軸に周波数をとり、低い周波数から高い周波数に向かってシステム帯域に渡って配置された物理リソースブロックＰＲＢペアであるＰＲＢ１からＰＲＢ１５各々の１番目のスロットと２番目のスロットに割当てられる分散リソースブロックＤＶＲＢとその順番を符号ＤＶＲＢ１〜ＤＶＲＢ１４にて示している。ＤＶＲＢ−ｔｏ−ＰＲＢマッピングＢでは、図１１に示すように、基地局装置１は、システム帯域の半分の間隔をおいた物理リソースブロックＰＲＢペアを組とし、基本的に低い周波数の物理リソースブロックＰＲＢペアの組が対応付けられた分散仮想リソースブロックＤＶＲＢを優先的に用いる。
【００９６】
すなわち、１番目に用いられる分散仮想リソースブロックＤＶＲＢであるＤＶＲＢ１は、周波数の最も低い物理リソースブロックＰＲＢペアであるＰＲＢ１の１番目のスロットと、システム帯域の半分（ここでは８物理リソースブロックＰＲＢ）の間隔をおいた物理リソースブロックＰＲＢペアであるＰＲＢ９の２番目のスロットとに割当てられ、２番目に用いられる分散仮想リソースブロックＤＶＲＢであるＤＶＲＢ２は、物理リソースブロックＰＲＢペアであるＰＲＢ１の高周波側に隣接する物理リソースブロックＰＲＢペアであるＰＲＢ２の１番目のスロットと、システム帯域の半分の間隔をおいた物理リソースブロックＰＲＢペアであるＰＲＢ１０の２番目のスロットとに割当てられる。
【００９７】
次の３番目に用いられる分散仮想リソースブロックＤＶＲＢであるＤＶＲＢ３は、物理リソースブロックＰＲＢペアであるＰＲＢ２の高周波側に隣接する物理リソースブロックＰＲＢペアであるＰＲＢ３の１番目のスロットと、物理リソースブロックＰＲＢペアであるＰＲＢ１０の高周波側に隣接する物理リソースブロックＰＲＢペアであるＰＲＢ１１の２番目のスロットとに割当てられ、４番目に用いられる分散仮想リソースブロックＤＶＲＢであるＤＶＲＢ４は、物理リソースブロックＰＲＢペアであるＰＲＢ４の１番目のスロットと、物理リソースブロックＰＲＢペアであるＰＲＢ１２の２番目のスロットとに割当てられる。このように、ＤＶＲＢ−ｔｏ−ＰＲＢマッピングＢでは、システム帯域の周波数が低い方から高い方に向かう順に、システム帯域幅の半分の間隔を置いた物理リソースブロックＰＲＢペアの組が、分散仮想リソースブロックに割当てられる。
【００９８】
なお、ＤＶＲＢ−ｔｏ−ＰＲＢマッピングＢでは、１つの移動局装置２に割り当てられる分散仮想リソースブロックＤＶＲＢは、ＶＲＢ開始位置とＶＲＢ数とで表される連続した番号の分散仮想リソースブロックＤＶＲＢであるが、移動局装置２の間で、分散仮想リソースブロックＤＶＲＢの番号が連続していなくてもよい。２つの移動局装置２があり、１つ目の移動局装置２には、ＤＶＲＢ１〜ＤＶＲＢ３の分散仮想リソースブロックＤＶＲＢが割当てられ、２つ目の移動局装置２には、ＤＶＲＢ８〜ＤＶＲＢ９の分散仮想リソースブロックＤＶＲＢが割当てられてもよい。
【００９９】
ＤＶＲＢ−ｔｏ−ＰＲＢマッピングＢでは、各分散物理リソースブロックＤＶＲＢに対応付けられた物理リソースブロックＰＲＢペアの２つの物理リソースブロックＰＲＢ間の周波数間隔は８つの物理リソースブロックＰＲＢ分である。ＤＶＲＢ−ｔｏ−ＰＲＢマッピングＡでは、分散仮想リソースブロックＤＶＲＢ８に対応付けられた物理リソースブロックＰＲＢペアの２つの物理リソースブロックＰＲＢ間の周波数間隔は８つの物理リソースブロックＰＲＢ分、分散仮想リソースブロックＤＶＲＢ９に対応付けられた物理リソースブロックペアの２つの物理リソースブロックＰＲＢ間の周波数間隔は６つの物理リソースブロックＰＲＢ分である。
【０１００】
この場合、基地局装置１の無線リソース制御部１１は、同時に割り当てる分散仮想リソースブロックＤＶＲＢが８個（基地局装置１の送信帯域幅の半分）までのときは、ＤＶＲＢ−ｔｏ−ＰＲＢマッピングＡを選択し、送信処理部１３は、この選択したマッピング規則を用いて分散仮想リソースブロックＤＶＲＢの割り当てを行う。一方、分散仮想リソースブロックＤＶＲＢが９個以上のときは、ＤＶＲＢ−ｔｏ−ＰＲＢマッピングＢを選択し、送信処理部１３は、この選択したマッピング規則を用いて分散仮想リソースブロックＤＶＲＢの割り当てを行う。
【０１０１】
つまり、ＤＶＲＢ−ｔｏ−ＰＲＢマッピングＡにおいて分散仮想リソースブロックＤＶＲＢに対応付けられた物理リソースブロックＰＲＢペアの２つの物理リソースブロックＰＲＢ間の周波数間隔が、ＤＶＲＢ−ｔｏ−ＰＲＢマッピングＢの各分散仮想リソースブロックＤＶＲＢに対応付けられた物理リソースブロックＰＲＢペアの２つの物理リソースブロックＰＲＢ間の周波数間隔（基地局装置１の送信帯域幅の半分９物理リソースブロックＰＲＢ）よりも小さい分散仮想リソースブロックＤＶＲＢに移動局装置２を割り当てるような状況になった場合に、リソース対応付部１５は分散仮想リソースブロックＤＶＲＢの数が多いと判定して、分散仮想リソースブロックＤＶＲＢと物理リソースブロックＰＲＢペアの対応付けをＤＶＲＢ−ｔｏ−ＰＲＢマッピングＢに切り替える。
【０１０２】
なお、その逆の制御も行う。基地局装置１は、図２に示す無線リソース制御部１１のリソース対応付部１５において分散仮想リソースブロックＤＶＲＢと物理リソースブロックＰＲＢペアの対応付け、すなわちＤＶＲＢ−ｔｏ−ＰＲＢマッピングＡを用いるかＤＶＲＢ−ｔｏ−ＰＲＢマッピングＢを用いるかを決定してフラグを設定し、フラグ、ＶＲＢ開始位置、ＶＲＢ数から少なくとも構成される無線リソース割り当て情報を下りリンク制御チャネルを用いて送信処理部１３で送信するように制御部２１に指示する。
【０１０３】
次に、移動局装置２が自移動局装置２に割り当てられた分散仮想リソースブロックＤＶＲＢを構成する下りリンク共有データチャネルが配置されたリソースエレメントを認識する手順（分散仮想リソースブロックＤＶＲＢの信号が配置されたリソースエレメントの検出方法）について説明する。図１２は、移動局装置２が自移動局装置３に割り当てられた分散仮想リソースブロックＤＶＲＢを受信する手順、すなわち分散仮想リソースブロックＤＶＲＢが配置されたリソースエレメントを、サブフレーム中から認識する手順を説明するフローチャートである。
【０１０４】
先ず、移動局装置２の受信処理部２３は、予め決められたリソースエレメントに配置されている制御フォーマットインディケータチャネルを受信したサブフレームから検出し、これを受けた制御部２１は、制御フォーマットインディケータを認識する（Ｓ１）。次に、制御部２１は、ステップＳ１にて認識した制御フォーマットインディケータに基づいて、受信したサブフレーム中で下りリンク制御チャネルおよび下りリンク共有データチャネルが構成されるＯＦＤＭシンボルを認識する。
【０１０５】
次に、制御部２１の指示に従い、移動局装置２の受信処理部２３は、下りリンク制御チャネルを受信したサブフレームから分離し、さらに復調・復号する。この復号結果を受けた制御部２１は、下りリンク制御チャネルに含められたフラグ（Ｓ２）、ＶＲＢ開始位置、ＶＲＢ数を取得する（Ｓ３）。制御部２１は、フラグより分散仮想リソースブロックＤＶＲＢと物理リソースブロックＰＲＢペアの対応付けを認識し、ＶＲＢ開始位置とＶＲＢ数とにより自移動局装置２に割り当てられた分散仮想リソースブロックＤＶＲＢナンバーを１つ、または複数認識する。
【０１０６】
制御部２１は、分散仮想リソースブロックＤＶＲＢと物理リソースブロックＰＲＢペアの対応付けと割り当てられた分散仮想リソースブロックＤＶＲＢナンバーから自移動局装置２に割り当てられた分散仮想リソースブロックＤＶＲＢが配置される物理リソースブロックＰＲＢナンバーと物理リソースブロックＰＲＢ内における配置、つまり分散仮想リソースブロックＤＶＲＢの信号が配置されたリソースエレメントを認識し（Ｓ４）、これらのリソースエレメントの信号を抽出することで、自移動局装置２に割り当てられた分散仮想リソースブロックＤＶＲＢの信号を抽出し、復調・復号するように受信処理部２３に指示する。
【０１０７】
なお、分散仮想リソースブロックＤＶＲＢマッピングの無線リソース割り当て情報としてＶＲＢ開始位置とＶＲＢ数とを別々の情報フィールド（ビットフィールド）で示すのではなく、情報を組み合わせてＴｒｅｅ−ｂａｓｅｄ方法で構成することもできる。図１３は、ＶＲＢ開始位置とＶＲＢ数の情報を組み合わせてＴｒｅｅ−ｂａｓｅｄ方法で構成した場合を示す。ここでは、１５個の分散仮想リソースブロックＤＶＲＢ、連続割り当てＶＲＢ数を２とした場合について示す。図１３に示すように、連続割り当てＶＲＢ数が１と２の場合について可能性のある組み合わせに番号付けを行う。ここでは、２９通りの組み合わせが存在し、５ビット（３２状態）を用いて各組み合わせを示すことができる。
【０１０８】
すなわち、図１３において、最下段は、割当てられる分散仮想リソースブロックＤＶＲＢを表し、上の２段は、ＶＲＢ開始位置とＶＲＢ数とを組み合わせた情報を表すＴｒｅｅ−ｂａｓｅｄ方法で構成した値を示す。上２段のうち、最上段は、ＶＲＢ数が２の場合、上から２段目は、ＶＲＢ数が１の場合を示す。例えば、分散仮想リソースブロックＤＶＲＢ１のみを割当てるときは、上から２段目のＤＶＲＢ１の上の数字「１」が、ＶＲＢ開始位置とＶＲＢ数とを組み合わせた情報となり、分散仮想リソースブロックＤＶＲＢ２とＤＶＲＢ３とを割当てるときは、最上段のＤＶＲＢ２とＤＶＲＢ３の上の数字「１７」がＶＲＢ開始位置とＶＲＢ数とを組み合わせた情報となる。
【０１０９】
なお、本実施形態では、フラグを下りリンク制御チャネルにて送信したが、フラグは全移動局装置２に対して同じ情報を送るので、下りリンク共有データチャネル、または報知チャネルを用いて移動局装置２に通知し、下りリンク制御チャネルに構成される分散仮想リソースブロックＤＶＲＢの無線リソース割り当て情報を、ＶＲＢ開始位置とＶＲＢ数とのみにしてもよい。
【０１１０】
このように、分散仮想リソースブロックＤＶＲＢの数が多いときは、ＤＶＲＢ−ｔｏ−ＰＲＢマッピングＢを用い、分散仮想リソースブロックＤＶＲＢの数が少ないときは、ＤＶＲＢ−ｔｏ−ＰＲＢマッピングＡを用いることで、各分散仮想リソースブロックＤＶＲＢを配置する物理リソースブロックＰＲＢペア間の周波数間隔を常に一定（システム帯域幅の半分）以上に保つので、優れた周波数ダイバーシチ効果を得ることができる。
【０１１１】
本発明に関わる移動局装置２及び基地局装置１で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行われる。
【０１１２】
また、図２における無線リソース制御部１１、制御部１２、および、図３における下りリンク共有データチャネル処理部１００、下りリンク制御チャネル処理部１１０、参照信号生成部１２０、制御フォーマットインディケータ信号生成部１３０、多重部１４０、ＩＦＦＴ部１５１、ＧＩ挿入部１５２、Ｄ／Ａ部１５３、および図６における制御部２１、および図７におけるＡ／Ｄ部２０２、ＧＩ除去部２０３、ＦＦＴ部２０４、多重分離部２０５、伝播路推定部２０６、伝播路補償部２０７、制御フォーマットインディケータ検出部２０８、伝播路補償部２０９、データ復調部２１０、ターボ復号部２１１、伝播路補償部２１２、ＱＰＳＫ復調部２１３、ビタビデコーダ部２１４の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１１３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１４】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０１１５】
この発明は、携帯電話端末を移動局装置２とする移動体通信システムに用いて好適であるが、これに限定されない。
【図面の簡単な説明】
【０１１６】
【図１】この発明の一実施形態による基地局装置１から移動局装置２への下りリンク無線フレームの概略構成を示す図である。
【図２】同実施形態における基地局装置１の構成を示す概略ブロック図である。
【図３】同実施形態における基地局装置１の送信処理部１３の内部構成を示す概略ブロック図である。
【図４】同実施形態における多重数Ｎｄが２の場合に分散仮想リソースブロックＤＶＲＢの信号配置に用いられるスロットベースホッピングを説明する図である。
【図５】同実施形態における多重数Ｎｄが３の場合に分散仮想リソースブロックＤＶＲＢの信号配置に用いられるＯＦＤＭシンボルベースホッピングを説明する図である。
【図６】同実施形態における移動局装置２の構成を示す概略ブロック図である。
【図７】同実施形態における移動局装置２の受信処理部２３の内部構成を示す概略ブロック図である。
【図８】同実施形態における分散仮想リソースブロックＤＶＲＢマッピングの無線リソース割り当て情報のフォーマットを示す図である。
【図９】同実施形態における分散仮想リソースブロックＤＶＲＢの例を示す。
【図１０】同実施形態におけるＤＶＲＢ−ｔｏ−ＰＲＢマッピングＡを示す図である。
【図１１】同実施形態におけるＤＶＲＢ−ｔｏ−ＰＲＢマッピングＢを示す図である。
【図１２】同実施形態における移動局装置２が自移動局装置３に割り当てられた分散仮想リソースブロックＤＶＲＢを受信する手順を説明するフローチャートである。
【図１３】同実施形態におけるＶＲＢ開始位置とＶＲＢ数の情報を組み合わせてＴｒｅｅ−ｂａｓｅｄ方法で構成した場合を示す図である。
【図１４】従来のＥＵＴＲＡにおけるチャネルの構造について、その概略を示す図である。
【図１５】従来のＥＵＴＲＡにおける下りリンク無線フレームの概略構成を示す図である
【図１６】従来のＥＵＴＲＡの下りリンクにおける１物理リソースブロックＰＲＢペア内の下りリンクパイロットチャネルの配置を説明する図である。
【図１７】従来の多重数Ｎｄが２の場合の分散仮想リソースブロックＤＶＲＢマッピングを説明する図である
【図１８】従来の多重数Ｎｄが３の場合の分散仮想リソースブロックＤＶＲＢマッピングを説明する図である。
【図１９】従来の基地局装置と移動局装置で使用される分散仮想リソースブロックＤＶＲＢの例を示す図である。
【図２０】従来の多重数Ｎｄ＝２の場合の分散仮想リソースブロックＤＶＲＢと物理リソースブロックＰＲＢペアとの対応付けを示す図である。
【図２１】従来多重数Ｎｄ＝２の場合の分散仮想リソースブロックＤＶＲＢと物理リソースブロックＰＲＢペアとの対応付けを示す図である。
【符号の説明】
【０１１７】
１…基地局装置
１１…無線リソース制御部
１２…制御部
１３…送信処理部
１４…受信処理部
１５…リソース対応付部
１６…割当情報生成部
２１…制御部
２２…送信処理部
２３…受信処理部
１００…下りリンク共有データチャネル処理部
１０１…ターボ符号部
１０２…データ変調部
１１０…下りリンク制御チャネル処理部
１１１…畳み込み符号部
１１２…ＱＰＳＫ変調部
１２０…参照信号生成部
１３０…制御フォーマットインディケータ信号生成部
１４０…多重部
１５０…アンテナ毎送信処理部
１５１…ＩＦＦＴ部
１５２…ＧＩ挿入部
１５３…Ｄ／Ａ部
１５４…送信ＲＦ部
２０１…受信ＲＦ部
２０２…Ａ／Ｄ部
２０３…ＧＩ除去部
２０４…ＦＦＴ部
２０５…多重分離部
２０６…伝播路推定部
２０７…伝播路補償部
２０８…制御フォーマットインディケータ検出部
２０９…伝播路補償部
２１０…データ復調部
２１１…ターボ復号部
２１２…伝播路補償部
２１３…ＱＰＳＫ復調部
２１４…ビタビデコーダ部
【図１】
2009164816.tif 000003
【図２】
2009164816.tif 000004
【図３】
2009164816.tif 000005
【図４】
2009164816.tif 000006
【図５】
2009164816.tif 000007
【図６】
2009164816.tif 000008
【図７】
2009164816.tif 000009
【図８】
2009164816.tif 000010
【図９】
2009164816.tif 000011
【図１０】
2009164816.tif 000012
【図１１】
2009164816.tif 000013
【図１２】
2009164816.tif 000014
【図１３】
2009164816.tif 000015
【図１４】
2009164816.tif 000016
【図１５】
2009164816.tif 000017
【図１６】
2009164816.tif 000018
【図１７】
2009164816.tif 000019
【図１８】
2009164816.tif 000020
【図１９】
2009164816.tif 000021
【図２０】
2009164816.tif 000022
【図２１】
2009164816.tif 000023